(57)【要約】【課題】高温環境下でも推力の劣化を防止すること。【解決手段】駆動装置のボイスコイルモータに使用されるマグネット（１８２）は、主マグネット部（１８２Ｍ）と、この主マグネット部をその両端から挟んで設けられた一対の副マグネット部（１８２Ｓ）とから構成される。主マグネット部（１８２Ｍ）は、第１の磁束密度と第１のキュリー点とを持つ。一対の副マグネット部（１８２Ｓ）の各々は、第１の磁束密度より小さい第２の磁束密度と、第１のキュリー点よりも高い第２のキュリー点とを持つ。【選択図】      図４
2010091894.tif 000002
【特許請求の範囲】
【請求項１】
固定部と、可動部と、前記固定部に対して前記可動部をリニアに駆動するボイスコイルモータとを備えた駆動装置であって、前記ボイスコイルモータは、ヨークとマグネットとから成る磁界発生部と、駆動コイルとから構成され、前記磁界発生部と前記駆動コイルの一方は前記固定部に取り付けられ、前記磁界発生部と前記駆動コイルの他方は前記可動部に取り付けられる、前記駆動装置において、
前記マグネットは、主マグネット部と、該主マグネット部をその両端から挟んで設けられた一対の副マグネット部とから構成され、
前記主マグネット部は、第１の磁束密度と第１のキュリー点とを持ち、
前記一対の副マグネット部の各々は、前記第１の磁束密度より小さい第２の磁束密度と、前記第１のキュリー点よりも高い第２のキュリー点とを持つ、
ことを特徴とする駆動装置。
【請求項２】
前記一対の副マグネット部は、前記主マグネット部の長手方向の両端に設けられている、請求項１に記載の駆動装置。
【請求項３】
前記一対の副マグネット部は、前記主マグネット部の厚さ方向の両端に設けられている、請求項１に記載の駆動装置。
【請求項４】
前記主マグネット部は、ネオジム系磁石からなり、
前記一対の副マグネット部の各々は、アルニコ磁石、サマリウム・コバルト磁石、およびフェライト磁石のグループから選択される、請求項１乃至３のいずれか１つに記載の駆動装置。
【請求項５】
レンズアセンブリを保持するための筒状部を有するレンズホルダと、該レンズホルダに前記筒状部の周囲に位置するように固定された駆動コイルと、該駆動コイルと対向する永久磁石を備えたヨークと、前記レンズホルダの筒状部の光軸方向両側に設けられ、前記レンズホルダを径方向に位置決めした状態で光軸方向に変位可能に支持する一対の板バネとを備え、前記一対の板バネの各々は、前記レンズホルダに取り付けられた内周側端部と前記ヨークに取り付けられた外周側端部とを有し、前記駆動コイルに通電することで、前記永久磁石の磁界と前記駆動コイルに流れる電流による磁界との相互作用によって、前記レンズホルダを光軸方向に位置調整可能なレンズ駆動装置において、
前記駆動コイルはＭ（Ｍは４以上の偶数）角筒状をしており、前記永久磁石はＭ個の矩形状の永久磁石片から構成されており、
前記Ｍ個の永久磁石片の各々は、主マグネット部と、該主マグネット部をその両端から挟んで設けられた一対の副マグネット部とから構成され、
前記主マグネット部は、第１の磁束密度と第１のキュリー点とを持ち、
前記一対の副マグネット部の各々は、前記第１の磁束密度より小さい第２の磁束密度と、前記第１のキュリー点よりも高い第２のキュリー点とを持つ、
ことを特徴とするレンズ駆動装置。
【請求項６】
前記Ｍが８に等しい、請求項５に記載のレンズ駆動装置。
【請求項７】
前記一対の副マグネット部は、前記主マグネット部の長手方向の両端に設けられている、請求項５又は６に記載のレンズ駆動装置。
【請求項８】
前記一対の板バネは、前記主マグネット部の長手方向両端で、前記一対の副マグネット部で挟み込んで固定されている、請求項７に記載のレンズ駆動装置。
【請求項９】
前記一対の副マグネット部は、前記主マグネット部の厚さ方向の両端に設けられている、請求項５又は６に記載のレンズ駆動装置。
【請求項１０】
前記主マグネット部は、ネオジム系磁石からなり、
前記一対の副マグネット部の各々は、アルニコ磁石、サマリウム・コバルト磁石、およびフェライト磁石のグループから選択される、請求項５乃至９のいずれか１つに記載のレンズ駆動装置。
【発明の詳細な説明】
【技術分野】
【０００１】
本発明は、ボイスコイルモータ（ＶＣＭ）を駆動部として使用する駆動装置に関し、特に、携帯型小型カメラに用いられるオートフォーカス用レンズ駆動装置に関する。
【背景技術】
【０００２】
周知のように、固定部に対して可動部（被駆動部）をリニアに駆動する駆動装置の駆動部として、ボイスコイルモータ（ＶＣＭ）が使用される。ボイスコイルモータは、ヨークとマグネットとから成る磁界発生部（磁界発生手段）と、駆動コイルとから構成される。磁界発生部（磁界発生手段）と駆動コイルの一方は、固定部に取り付けられ、他方は可動部に取り付けられる。駆動装置は、例えば、後述するようなレンズ駆動装置であって良い。
【０００３】
レンズ駆動装置では、レンズアセンブリがレンズホルダで保持されている。ボイスコイルモータは、駆動コイルに通電することで、永久磁石の磁界と駆動コイルに流れる電流による磁界との相互作用によって、レンズホルダを光軸方向に位置調整可能なアクチュエータとして動作する。
【０００４】
一方、カメラ付携帯電話には携帯型小型カメラが搭載されている。この携帯型小型カメラには、オートフォーカス用レンズ駆動装置が用いられる。このようなオートフォーカス用レンズ駆動装置では、レンズが可動部（被駆動部）として用いられる。従来から、種々のオートフォーカス用レンズ駆動装置が提案されている。
【０００５】
例えば、特許文献１（特開２００５−１２８３９２号公報）は、耐衝撃性に優れたレンズ駆動装置を開示している。この特許文献１に開示されたレンズ駆動装置は、略円筒形状のヨークと、このヨークが装着されるベースと、ヨークの内周側に配置されるレンズ支持体（レンズホルダ）と、レンズ支持体に取り付けられる一対の板バネとを備える。一対の板バネは、前側スプリングおよび後側スプリングとも呼ばれる。前側スプリングはレンズ支持体におけるレンズの光軸方向前側（一方側）に配置され、後側スプリングはレンズの光軸方向後側（他方側）に配置されている。ヨークは断面が略コ字形状であり、コ字の内部にマグネット（永久磁石）が配置され、コ字の内部でマグネットの内周側に駆動コイルが配置されている。マグネットは後方スペーサを介してベースに固定されている。駆動コイルはレンズ支持体の外周部に固定されている。レンズ支持体の外周部がヨークの内部に入り込んでいる。これにより、レンズ支持体の外周部はヨークのコ字隙間を移動するようになっている。ベースの内周側にヨークが固定されている。ベースの基底部には後方スペーサとの間に後方スプリングの外周端部が固定されている。
【０００６】
特許文献１に開示されたレンズ駆動装置において、レンズ支持体は略円筒形状であり、その内部にレンズ（レンズアセンブリ、バレル）が収納されている。レンズ支持体はヨークの内周側を光軸に沿って移動可能に取り付けられている。前側スプリングは略環状の板バネからなり、内周側端部と外周側端部とを有する。前側スプリングの内周側端部は、レンズ支持体とキャップとの間に挟持されて固定されている。前側スプリングの外周側端部とヨークとの間には前方スペーサが介在されている。後側スプリングは、前側スプリングと略同一形状であり、略環状の板バネからなる。後側スプリングの内周側端部はレンズ支持体の後端に固定されている。後側スプリングの外周側端部はベースの基底部と後方スペーサとの間に固定されている。
【０００７】
特許文献１に開示されたレンズ駆動装置において、駆動コイルは円筒状をしており、マグネットも円筒状をしている。詳述すると、マグネットは各々が円弧状をした４つの複数のマグネット片からなり、全体として、円筒状をしている。尚、特許文献１では、マグネットの具体的な材料（構造）については何ら記載していない。
【０００８】
また、特許文献２（特開２００６−２９３２４３号公報）は、撮影方向を鉛直方向に対して傾けて使用した場合でも、レンズをスムースに駆動することができるとともに、レンズ光軸方向を正確に撮影方向に向けることのできるレンズ駆動装置を開示している。この特許文献２に開示されたレンズ駆動装置は、レンズを保持するホルダ（レンズホルダ）と、このホルダに装着された環状の駆動コイルと、固定部側に設けられ、コイルに放射状の駆動用磁界を印加する磁界発生手段とを備えるとともに、ホルダの上部側と固定部材の上部側とを連結する第１のバネ部材（前側スプリング）と、ホルダの下部側と固定部材の下部側とを連結する第２のバネ部材（後側スプリング）とを備えている。ここで、前側スプリングの内周側端部は、上記特許文献１と同様に、レンズホルダの前端とキャップとに挟持されて固定されている。
【０００９】
この特許文献２において、磁界発生手段は、環状の駆動コイルの外周側に設けられた円筒状の磁石（マグネット）と、軟鉄等の磁性体から成るコの字型円筒形状ヨークとの組み合わせから成る。この特許文献２においても、円筒状の磁石（マグネット）の具体的な材料（構造）については何ら記載していない。
【００１０】
さらに、特許文献３（特開２００６−２５８９６９号公報）は、オートフォーカスに要する時間を短縮したカメラ付携帯電話を開示している。この特許文献３に開示されたカメラ付携帯電話（レンズ駆動装置）は、一端にレンズが取り付けられた筒状部を有するホルダ（レンズホルダ）と、このホルダにホルダの筒状部の周囲に位置するように固定された駆動コイルと、この駆動コイルと対向する永久磁石を備えたヨークと、ホルダの筒状部の光軸方向両側に設けられ、ホルダを径方向に位置決めした状態で光軸方向に変位可能に支持する一対の板バネとを備える。駆動コイルに通電することで、永久磁石の磁界と駆動コイルに流れる電流による磁界との相互作用によって、レンズを光軸方向に位置調整可能である。一対の板バネの一方は、上側板バネ（前側スプリング）と呼ばれ、一対の板バネの他方は下側板バネ（後側スプリング）と呼ばれる。上側板バネ（前側スプリング）の内周側端部は、ホルダの上端（前端）とストッパとの間に挟持されて、ホルダに嵌合されている。
【００１１】
この特許文献３では、駆動コイルは円筒状をしており、複数の永久磁石（マグネット）がヨークの外筒部の内周面にコイルと間隔を置いて対向するように配置されている。複数の永久磁石（マグネット）の各々は、円弧状をしている。この特許文献３においても、各永久磁石（マグネット）の具体的な材料（構造）については何ら記載していない。
【００１２】
また、特許文献４（特開２００６−５０６９４号公報）では、円弧状の磁石は、高価であるので、永久磁石（マグネット）として略平板状のものを用いたレンズ駆動装置を開示している。この特許文献４では、永久磁石（マグネット）として、ネオジウム磁石を使用する例が記載されている。また、特許文献４（及び上記特許文献３）では、永久磁石の下方に磁束が漏れるのを防止する磁束漏れ防止手段を設けている。特許文献４においては、この磁束漏れ防止手段として、永久磁石の下側端面（円形状のヨークの連結部と反対側の面）に当接した状態で複数の永久磁石を連結するように磁性部材を配置している。特許文献４において、この磁性部材が、鉄、ニッケル、コバルトおよびそれらの合金からなる磁性材料から形成され、冷間圧延鋼板を使用する例を開示している。
【００１３】
【特許文献１】特開２００５−１２８３９２号公報（図１、図２）
【特許文献２】特開２００６−２９３２４３号公報（図１）
【特許文献３】特開２００６−２５８９６９号公報（図２、図３）
【特許文献４】特開２００６−５０６９４号公報（図１５、図１６）
【発明の開示】
【発明が解決しようとする課題】
【００１４】
前述した特許文献１〜３に開示されたレンズ駆動装置において、ボイスコイルモータに使用されるマグネットとして、その具体的な材料（構造）については何ら開示していない。したがって、特許文献１〜３では、ボイスコイルモータのマグネットとして、一種類の材料からなるものを使用していると考えられる。
【００１５】
一方、特許文献４に開示されたオートフォーカス用アクチュエータでは、永久磁石（マグネット）として、ネオジウム磁石（ネオジム系磁石）を使用する例を開示している。
【００１６】
このように、従来、ボイスコイルモータのマグネットとしては、例えば、磁束密度が大きい一種類の材料から成るネオジム系磁石（例えば、Ｎｄ−Ｆｅ−Ｂ）が使用されている。
【００１７】
しかしながら、ネオジム系磁石は、周囲の熱（高温度下）でその磁力が低下する（熱減磁が生じる）という問題がある。すなわち、従来のボイスコイルモータでは、高温環境下における熱やボイスコイルモータ駆動時おける自己発熱などに起因して、マグネットの熱減磁が発生し、その磁気特性が劣化してしまう。その結果、このような従来のボイスコイルモータをアクチュエータとして使用したオートフォーカス用レンズ駆動装置では、高温環境下において、そのレンズの推力を妨げてしまうという問題がある。
【００１８】
尚、特許文献４に開示された磁束漏れ防止手段は、マグネットの磁束漏れを防止するためのものであって、マグネットそれ自体の熱減磁を抑制することはできない。
【００１９】
本発明の課題は、高温環境下でも推力の劣化を防止できる、駆動装置およびレンズ駆動装置を提供することにある。
【００２０】
本発明の他の目的は、説明が進むにつれて明らかになるだろう。
【課題を解決するための手段】
【００２１】
本発明の第１の態様によれば、固定部（１２）と、可動部（１４）と、固定部に対して可動部をリニアに駆動するボイスコイルモータとを備えた駆動装置（１０；１０Ａ）であって、ボイスコイルモータは、ヨーク（２０）とマグネット（１８；１８２）とから成る磁界発生部と、駆動コイル（１６）とから構成され、磁界発生部と駆動コイルの一方は固定部に取り付けられ、磁界発生部と駆動コイルの他方は可動部に取り付けられる、駆動装置において、マグネット（１８２）は、主マグネット部（１８２Ｍ）と、この主マグネット部をその両端から挟んで設けられた一対の副マグネット部（１８２Ｓ；１８２Ｓ’）とから構成され、主マグネット部（１８２Ｍ）は、第１の磁束密度と第１のキュリー点とを持ち、一対の副マグネット部（１８２Ｓ；１８２Ｓ’）の各々は、第１の磁束密度より小さい第２の磁束密度と、第１のキュリー点よりも高い第２のキュリー点とを持つ、ことを特徴とする駆動装置が得られる。
【００２２】
上記本発明の第１の態様による駆動装置（１０；１０Ａ）において、一対の副マグネット部（１８２Ｓ）は、例えば、主マグネット部（１８２Ｍ）の長手方向の両端に設けられてよいし、一対の副マグネット部（１８２Ｓ’）は、例えば、主マグネット部（１８２Ｍ）の厚さ方向の両端に設けられてよい。主マグネット部（１８２Ｍ）は、例えば、ネオジム系磁石からなり、一対の副マグネット部（１８２Ｓ；１８２Ｓ’）の各々は、例えば、アルニコ磁石、サマリウム・コバルト磁石、およびフェライト磁石のグループから選択されてよい。
【００２３】
本発明の第２の態様によれば、レンズアセンブリを保持するための筒状部（１４０）を有するレンズホルダ（１４）と、このレンズホルダに筒状部の周囲に位置するように固定された駆動コイル（１６）と、この駆動コイルと対向する永久磁石（１８）を備えたヨーク（２０）と、レンズホルダの筒状部の光軸（Ｏ）方向両側に設けられ、レンズホルダを径方向に位置決めした状態で光軸（Ｏ）方向に変位可能に支持する一対の板バネ（２２、２４）とを備え、一対の板バネの各々は、レンズホルダ（１４）に取り付けられた内周側端部（２２２；２４２）とヨーク（２０）に取り付けられた外周側端部（２２４）とを有し、駆動コイル（１６）に通電することで、永久磁石（１８）の磁界と駆動コイル（１６）に流れる電流による磁界との相互作用によって、レンズホルダ（１４）を光軸（Ｏ）方向に位置調整可能なレンズ駆動装置（１０；１０Ａ）において、駆動コイル（１６）はＭ（Ｍは４以上の偶数）角筒状をしており、永久磁石（１８）はＭ個の矩形状の永久磁石片（１８２；１８２Ａ）から構成されており、Ｍ個の永久磁石片の各々は、主マグネット部（１８２Ｍ）と、この主マグネット部をその両端から挟んで設けられた一対の副マグネット部（１８２Ｓ；１８２Ｓ’）とから構成され、主マグネット部（１８２Ｍ）は、第１の磁束密度と第１のキュリー点とを持ち、一対の副マグネット部（１８２Ｓ；１８２Ｓ’）の各々は、第１の磁束密度より小さい第２の磁束密度と、第１のキュリー点よりも高い第２のキュリー点とを持つ、ことを特徴とするレンズ駆動装置が得られる。
【００２４】
上記本発明の第２の態様によるレンズ駆動装置（１０；１０Ａ）において、Ｍは、例えば、８に等しくてよい。一対の副マグネット部（１８２Ｓ）は、例えば、主マグネット部（１８２Ｍ）の長手方向の両端に設けられてよい。この場合、一対の板バネは、前記主マグネット部の長手方向両端で、前記一対の副マグネット部で挟み込んで固定されてよい。その代わりに、一対の副マグネット部（１８２Ｓ’）は、例えば、主マグネット部（１８２Ｍ）の厚さ方向の両端に設けられてよい。主マグネット部（１８２Ｍ）は、例えば、ネオジム系磁石からなり、一対の副マグネット部（１８２Ｓ；１８２Ｓ’）の各々は、例えば、アルニコ磁石、サマリウム・コバルト磁石、およびフェライト磁石のグループから選択されてよい。
【００２５】
尚、上記括弧内の参照符号は、理解を容易にするために付したものであり、一例に過ぎず、これらに限定されないのは勿論である。
【発明の効果】
【００２６】
本発明では、Ｍ個の永久磁石片の各々（マグネット）は、主マグネット部と、この主マグネット部をその両端から挟んで設けられた一対の副マグネット部とから構成され、主マグネット部は、第１の磁束密度と第１のキュリー点とを持ち、一対の副マグネット部の各々は、第１の磁束密度より小さい第２の磁束密度と、第１のキュリー点よりも高い第２のキュリー点とを持つので、高温環境下でも推力の劣化を防止できる。
【発明を実施するための最良の形態】
【００２７】
以下、図面を参照して、本発明の実施の形態について説明する。
【００２８】
図１乃至図３を参照して、本発明の第１の実施の形態によるレンズ駆動装置１０について説明する。図１はレンズ駆動装置１０の外観斜視図であり、図２はレンズ駆動装置１０の横断面図であり、図３はレンズ駆動装置１０の分解斜視図である。ここでは、図１乃至図３に示されるように、直交座標系（Ｘ，Ｙ，Ｚ）を使用している。図１乃至図３に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図３に示す例においては、上下方向Ｚがレンズの光軸Ｏ方向である。
【００２９】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００３０】
図示のレンズ駆動装置１０は、オートフォーカス可能なカメラ付き携帯電話に備えられる。レンズ駆動装置１０は、レンズアセンブリ（バレル）（図示せず）を光軸Ｏ方向に移動させるためのものである。レンズ駆動装置１０は、Ｚ軸方向（光軸Ｏ方向）の下側（後側）に配置されたアクチュエータ・ベース１２を有する。このアクチュエータ・ベース１２の下部（後部）には、図示はしないが、基板に配置された撮像素子が搭載される。この撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。したがって、レンズ駆動装置１０と、基板と、撮像素子との組み合わせによって、カメラモジュールが構成される。
【００３１】
レンズ駆動装置１０は、レンズアセンブリ（バレル）を保持するための筒状部１４０を有するレンズホルダ１４と、このレンズホルダ１４に筒状部１４０の周囲に位置するように固定された駆動コイル１６と、この駆動コイル１６と対向する永久磁石（マグネット）１８を備えたヨーク２０と、レンズホルダ１４の筒状部１４０の光軸Ｏ方向両側に設けられた一対の板バネ２２、２４を備える。
【００３２】
ここで、アクチュエータ・ベース１２が固定部として働き、レンズホルダ１４が可動部（被駆動部）として働き、駆動コイル１６、永久磁石（マグネット）１８、およびヨーク２０がボイスコイルモータとして働く。そして、ヨーク２０と永久磁石（マグネット）１８との組み合わせが磁界発生部（磁界発生手段）として作用する。
【００３３】
一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００３４】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００３５】
図３に示されるように、ヨーク２０は八角筒状をしている。すなわち、ヨーク２０は、八角筒形状の外筒部２０２と、この外筒部２０２の上端（前端）に設けられた八角形のリング状端部２０４とを有する。
【００３６】
図２に示されるように、ヨーク２０の外筒部２０２は、互いに対向する４つの長側辺２０２−１と、これら４つの長側辺間２０２−１に配置された４つの短側辺２０２−２とから成る。従って、駆動コイル１６も、八角筒状のヨーク２０の形状に合わせた、八角筒状をしている。すなわち、駆動コイル１６は、４つの長辺部１６１と、これら４つの長辺部間に配置された４つの短辺部１６２とから成る。レンズホルダ１４の筒状部１４０は、９０°の角度間隔で、半径方向外側へ突出する４つの接触面１４０−１を持つ。これら４つの接触面１４０−１に、駆動コイル１６の４つの長辺部１６１が接着される。すなわち、駆動コイル１６は、４つの接触面１４０−１で接着されている。
【００３７】
一方、永久磁石（マグネット）１８は、駆動コイル１６の４つの長辺部１６１に対向する４つの長矩形状永久磁石１８２−１と、駆動コイル１６の４つの短辺部１６２に対向する４つの短矩形形状永久磁石１８２−２とから構成される。４つの長矩形状永久磁石１８２−１は、ヨーク２０の外筒部２０２の４つの長側辺２０２−１の内壁に配置され、４つの短矩形形状永久磁石１８２−２は、ヨーク２０の外筒部２０２の４つの短側辺２０２−２の内壁に配置されている。とにかく、永久磁石１８は、ヨーク２０の八角筒形状の外筒部２０２の各側辺に配置された、８個の矩形状の永久磁石片１８２から成る。
【００３８】
図２に示されるように、ヨーク２０の外筒部２０２の内周面に、駆動コイル１６と間隔を置いて、永久磁石（マグネット）１８が配置されている。
【００３９】
上述したように、図示の実施の形態では、駆動コイル１６が八角筒状をしており、永久磁石（マグネット）１８が８個の矩形状の永久磁石片１８２から構成されているので、永久磁石１８を安価に製造できる。その結果、レンズ駆動装置１０も安価になるという利点がある。
【００４０】
前側スプリング２２はレンズホルダ１４における光軸Ｏ方向前側に配置され、後側スプリング２４はレンズホルダ１４における光軸Ｏ方向後側に配置される。前側スプリング２２と後側スプリング２４とは、略同一構成をしている。すなわち、前側スプリング２２は、レンズホルダ１４に取り付けられた内周側端部２２２と、ヨーク２０に取り付けられた外周側端部２２４とを有する。内周側端部２２２と外周側端部２２４との間には、３つの腕部２２６が設けられている。各腕部２２６は、内周側端部２２２と外周側端部２２４とを繋いでいる。
【００４１】
同様に、後側スプリング２４は、レンズホルダ１４に取り付けられた内周側端部２４２と、ヨーク２０に取り付けられた外周側端部（図示せず）とを有する。内周側端部２４２と外周側端部とに間には、３つの腕部２４６が設けられている。各腕部２４６は、内周側端部２４２と外周側端部とを繋いでいる。
【００４２】
尚、内周側端部は内輪とも呼ばれ、外周側端部は外輪とも呼ばれる。
【００４３】
前側スプリング２２の内周側端部２２２は、レンズホルダ１４とストッパ２６に挟持されて固定されている。換言すれば、ストッパ２６は、前側スプリング２２の内周側端部２２２を、レンズホルダ１４との間で挟持するように、レンズホルダ１４と嵌合する。一方、前側スプリング２２の外周側端部２２４は、ヨーク２０とカバー２８との間に挟持され固定されている。
【００４４】
ストッパ２６には、次に述べるような機能がある。すなわち、ストッパ２６は、前側スプリング２２の内周側端部２２２をレンズホルダ１４にバラツキなく高精度に密着させる機能を持つ。これにより、ＶＣＭ（ボイスコイルモータ）特性のバラツキを改善できる。また、ストッパ２６は、前側スプリング２２の接着強度を向上させる機能をもつ。これにより、レンズ駆動装置１０の耐衝撃性を向上させている。さらに、ストッパ２６は、レンズ駆動装置１０の落下衝撃の際の前側スプリング２２の変形を防止する機能を持つ。これによっても、レンズ駆動装置１０の耐衝撃性を向上させている。また、ストッパ２８は、レンズ駆動装置１０の機械的ストロークを決める機能を持つ。
【００４５】
尚、後述するように、本実施の形態では、このストッパ２６には、レンズホルダ１４の回転防止機能も付加されている。
【００４６】
一方、後側スプリング２４の外周側端部は、スペーサ３０を介してヨーク２０に固定されている。換言すれば、スペーサ３０と後側スプリング２４の外周側端部とは、ヨーク２０とアクチュエータ・ベース１２との間に挟持されて固定されている。後側スプリング２４の内周側端部２４２は、レンズホルダ１４の後端側に固定されている。
【００４７】
レンズホルダ１４の筒状部１４０の内周壁には雌ネジ１４２が切られている。一方、図示しないが、レンズアセンブリ（バレル）の外周壁には、上記雌ネジ１４２に螺合される雄ネジが切られている。従って、レンズアセンブリ（バレル）をレンズホルダ１４に装着するには、レンズアセンブリ（バレル）をレンズホルダ１４の筒状部１４０に対して光軸Ｏ周りに回転して光軸Ｏ方向に沿って螺合することにより、レンズアセンブリ（バレル）をレンズホルダ１４内に収容し、接着剤なとによって互いに接合する。
【００４８】
この際、レンズホルダ１４が一緒に回転しまう恐れがあるが、後述するように、レンズホルダ１４が回転するのは完全に防止される。
【００４９】
駆動コイル１６に通電することで、永久磁石１８の磁界と駆動コイル１６に流れる電流による磁界との相互作用によって、レンズホルダ１４（レンズアセンブリ）を光軸Ｏ方向に位置調整することが可能である。
【００５０】
後側スプリング２４とアクチュエータ・ベース１２との間には、シート状電極３２が配置されている。このシート状電極３２は、駆動コイル１６に電力を供給するためのものである。
【００５１】
図示の実施の形態では、ストッパ２６は、光軸Ｏに対して１８０°だけ回転させた２回回転対称な位置に設けられた２つのコ字形状の回転防止押え部２６２を持つ。これらコ字形状の回転防止押え部２６２は、レンズアセンブリをレンズホルダ１４の筒状部１４０に装着する際に、レンズホルダ１４が回転するのを完全に防止する回転防止部材として働く。すなわち、レンズアセンブリのレンズホルダ１４の筒状部１４０への装着時に、２つのコ字形状の回転防止押え部２６２に治具（図示せず）を差し込み保持することで、レンズホルダ１４が回転するのを完全に防止する。この際、ストッパ１６とカバー２８との間のクリアランスは確保（保持）される。
【００５２】
図４は、永久磁石片１８２の構成を示す斜視図である。図示の永久磁石片１８２は、矩形状の主マグネット部１８２Ｍと、この主マグネット部１８２Ｍをその長手方向の両端から挟んで設けられた一対の副マグネット部１８２Ｓとから構成される。主マグネット部１８２Ｍは、第１の磁束密度と第１のキュリー点（第１のキュリー温度）とを持つ。一対の副マグネット部１８２Ｓの各々は、第１の磁束密度より小さい第２の磁束密度と、第１のキュリー点（第１のキュリー温度）よりも高い第２のキュリー点（第２のキュリー温度）とを持つ。
【００５３】
主マグネット部１８２Ｍは、レンズ駆動用途なので駆動用マグネット部とも呼ばれる。一方、一対の副マグネット部１８２Ｓの各々は、主マグネット部１８２Ｍの高温環境下での熱減磁を防止するために用いられるので、熱減磁対策用マグネット部とも呼ばれる。
【００５４】
図５に、各種磁石の磁気特性（磁束密度Ｂｒ［Ｔ］、キュリー点（キュリー温度）［℃］、推奨使用温度［℃］）を示す。図５では、フェライト磁石、サマリウム・コバルト磁石（Ｓｍ−Ｃｏ磁石）、アルニコ磁石、及びネオジム系磁石（Ｎｄ−Ｆｅ−Ｂ）の磁気特性を示している。
【００５５】
図５に示された各種磁石の中で、ネオジム系磁石（Ｎｄ−Ｆｅ−Ｂ）の磁束密度が一番大きいことが分かる。従って、図示の例では、ネオジム系磁石（Ｎｄ−Ｆｅ−Ｂ）を主マグネット部１８２Ｍとして使用している。しかしながら、図５に示された各種磁石の中で、ネオジム系磁石（Ｎｄ−Ｆｅ−Ｂ）のキュリー点（キュリー温度）が一番低いことが分かる。したがって、ネオジム系磁石（Ｎｄ−Ｆｅ−Ｂ）は、高温環境下において、その磁区方向の不安定状態に起因して、磁力の低下（熱減磁）が生じてしまう。
【００５６】
このようなネオジム系磁石（主マグネット部１８２Ｍ）の高温環境下での熱減磁）を防止するために、本実施の形態では、一対の副マグネット部１８２Ｓで、主マグネット部１８２Ｍの長手方向両端を挟んでいる。図示の例では、副マグネット部１８２Ｓとして、アルニコ磁石、サマリウム・コバルト磁石、およびフェライト磁石のグループから選択した磁石を使用する。図５から明らかなように、アルニコ磁石、サマリウム・コバルト磁石、およびフェライト磁石はいずれも、ネオジム系磁石の磁束密度より小さい磁束密度を持ち、ネオジム系磁石のキュリー点よりも高いキュリー点を持つことが分かる。
【００５７】
このように、主マグネット部（駆動用マグネット部）１８２Ｍを、その長手方向両端から一対の副マグネット部（熱減磁対策用マグネット部）１８２Ｓで挟み込むことにより、主マグネット部（駆動用マグネット部）１８２Ｍの磁区方向を、熱による影響に抗して、強く保つことが可能となる。
【００５８】
その結果、高温環境下でも磁気特性が劣化しない永久磁石片１８２を提供することができる。そのため、このような永久磁石片１８２を用いたレンズ駆動装置１０は、その推力が妨げられるのを防止することができる。また、高温環境下でも、永久磁石片１８２の磁力の劣化が生じないので、リフロー対応のオートフォーカス対応カメラ付き携帯電話を製作することが可能となる。さらに、長時間、駆動コイル１６に電流が流れる状況（長時間動画撮影時など）においても、カメラ付き携帯電話のオートフォーカスの高追従性が可能となる。
【００５９】
図６を参照して、本発明の第２の実施の形態によるレンズ駆動装置１０Ａについて説明する。図６はレンズ駆動装置１０Ａの概略断面図である。図示のレンズ駆動装置１０Ａにおいては、一対の板バネ２２、２４を、主マグネット部（駆動用マグネット部）１８２Ｍの長手方向両端で、一対の副マグネット部（熱減磁対策用マグネット部）１８２Ｓで挟み込んで固定している。
【００６０】
すなわち、図６に示すレンズ駆動装置１０Ａでは、永久磁石片１８２を、一対の板バネ２２、２４を固定する用途としても使用している。
【００６１】
図７は、図４に示した永久磁石片１８２の変形例１８２Ａを示す正面図である。図４に示した永久磁石片１８２では、主マグネット部１８２Ｍをその長手方向の両端から一対の副マグネット部１８２Ｓで挟んでいるが、図７に示した永久磁石片１８２では、主マグネット部１８２Ｍをその厚み方向の両端から一対の副マグネット部１８２Ｓ’で挟んでいる。
【００６２】
このような構成の永久磁石片１８２Ａにおいても、図４に示した永久磁石片１８２と同様に、主マグネット部１８２Ｍの高温環境下での熱減磁）を防止することができる。
【００６３】
以上、本発明についてその好ましい実施の形態によって説明してきたが、本発明の精神を逸脱しない範囲内で、種々の変形が当業者によって可能であるのは明らかである。例えば、上述した実施の形態では、駆動コイル１６が八角筒状をしており、永久磁石１８が８個の矩形状の永久磁石片１８２から構成されているが、一般に、駆動コイルはＭ（Ｍは４以上の偶数）角筒状をしており、永久磁石はＭ個の矩形状の永久磁石片から構成されてよい。
【図面の簡単な説明】
【００６４】
【図１】本発明の第１の実施の形態によるレンズ駆動装置の外観斜視図である。
【図２】図１に示したレンズ駆動装置の横断面図である。
【図３】図１に示したレンズ駆動装置の分解斜視図である。
【図４】永久磁石片の構成を示す斜視図である。
【図５】各種磁石の磁気特性（磁束密度Ｂｒ［Ｔ］、キュリー点（キュリー温度）［℃］、推奨使用温度［℃］）を示す図である。
【図６】本発明の第２の実施の形態によるレンズ駆動装置の概略断面図である。
【図７】図４に示した永久磁石片の変形例を示す正面図である。
【符号の説明】
【００６５】
１０    レンズ駆動装置
１２    アクチュエータ・ベース（固定部）
１４    レンズホルダ（可動部）
１４０    筒状部
１４２    雌ネジ
１６    駆動コイル
１８    永久磁石
１８２、１８２Ａ    永久磁石片
１８２Ｍ    主マグネット部（駆動用マグネット部）
１８２Ｓ    副マグネット部（熱減磁対策用マグネット部）
１８２Ｓ’    副マグネット部（熱減磁対策用マグネット部）
２０    ヨーク
２２    前側スプリング（上側板バネ）
２２２    内周側端部（内輪）
２２４    外周側端部（外輪）
２４    後側スプリング（下側板バネ）
２４２    内周側端部（内輪）
２６    ストッパ
Ｏ    光軸
【図１】
2010091894.tif 000003
【図２】
2010091894.tif 000004
【図３】
2010091894.tif 000005
【図４】
2010091894.tif 000006
【図５】
2010091894.tif 000007
【図６】
2010091894.tif 000008
【図７】
2010091894.tif 000009